(57)【特許請求の範囲】
【請求項１】
１組の短辺側の対向側板１１，１１と、他の組の長辺側の対向側板１２，１２と、前記短辺側の対向側板１１，１１の下端に連設された底板形成用フラップ１３，１３と、前記長辺側の対向側板１２，１２の下端に連設された底板形成用フラップ１４，１４と、前記短辺側の対向側板１１，１１の上端に連設された上蓋形成用フラップ１５，１５と、前記長辺側の対向側板１２，１２の上端に連設された上蓋形成用フラップ１６，１６とから構成され、前記上蓋形成用フラップ１５，１５の中央部に把手孔１９，１９が形成されており、長辺側の対向側板１２，１２の下端に連設された底板形成用フラップ１４，１４は短辺の長さ方向の中間部で端面同士が近接し、前記短辺側の対向側板１１，１１の下端に連設された底板形成用フラップ１３，１３は底板形成用フラップ１４，１４の裏面に当接し、底板形成用フラップ１３，１３の角部を底板形成用フラップ１４，１４に形成された切り込み孔１４ａ，１４ａに差し込むことによって底板が形成され、また、前記短辺側の対向側板１１，１１の上端に連設された上蓋形成用フラップ１５，１５は長辺側の対向側板１２，１２の上端に連設された上蓋形成用フラップ１６，１６の上面に重なり、上蓋形成用フラップ１５，１５の角部を上蓋形成用フラップ１６，１６に形成された切り込み孔１６ａ，１６ａに差し込むことによって上蓋が形成されるようにしたことを特徴とする段ボール製包装箱。
【発明の詳細な説明】
【０００１】
【発明の属する技術分野】
本発明は、例えば葱、キャベツ、白菜などの野菜類を収納するのに好適な段ボール製包装箱に関するものである。
【０００２】
【従来の技術】
従来から葱を収納する段ボール製包装箱としては、例えば図６〜図９に示すように構成されたものが知られている。
【０００３】
以下、図面に基づき説明すると、従来の葱収納用の段ボール製包装箱は、１組の短辺側の対向側板１，１と、他の組の長辺側の対向側板２，２と、前記短辺側の対向側板１，１の下端に連設された底板形成用フラップ３，３と、前記長辺側の対向側板２，２の下端に連設された底板形成用フラップ４，４と、前記短辺側の対向側板１，１の上端に連設された上蓋形成用フラップ５，５と、前記長辺側の対向側板２，２の上端に連設された上蓋形成用フラップ６，６とから構成されている。
【０００４】
さらに詳しくは、前記長辺側の対向側板２，２の下端に連設された底板形成用フラップ４，４は短辺の長さ方向の中間部で端面同士が近接し、前記短辺側の対向側板１，１の下端に連設された底板形成用フラップ３，３は底板形成用フラップ４，４上に載るように底板形成用フラップ４，４で形成される底板の端部に位置し、底板形成用フラップ３，３と底板形成用フラップ４，４をステープル７によって止めて底板が形成されている。また、上蓋については、前記長辺側の対向側板２，２の上端に連設された上蓋形成用フラップ６，６は短辺の長さ方向の中間部で端面同士が近接し、前記短辺側の対向側板１，１の上端に連設された上蓋形成用フラップ５，５は上蓋形成用フラップ６，６の内面に重なるように上蓋形成用フラップ６，６で形成される上蓋の端部に位置し、上蓋形成用フラップ５，５と上蓋形成用フラップ６，６をステープル８によって止めて上蓋が形成されている。なお、前記底板は包装箱の下端全体を閉じるように形成されているが、上蓋は中央部に矩形（図面では長方形）の通気用の開口部９が形成されるように上蓋形成用フラップ５および６の先端に凹状の切り欠き部５ａおよび６ａが形成されている。
【０００５】
上記構成において、底板形成用フラップ３，３と底板形成用フラップ４，４および上蓋形成用フラップ５，５と上蓋形成用フラップ６，６はともにステープル７および８によって止められており、そのステープル７および８が包装箱の内面から突出していることから、包装箱の内部に収納された葱１０がステープル７および８に引っ掛かるなどして傷が付くという問題があった。
【０００６】
【発明が解決しようとする課題】
本発明はこのような課題を解決するもので、包装箱の内部に収納された葱などの被収納物の傷付きを防止できるようにすることを目的とするものである。
【０００７】
【課題を解決するための手段】
この課題を解決するために本発明は、１組の短辺側の対向側板１１，１１と、他の組の長辺側の対向側板１２，１２と、前記短辺側の対向側板１１，１１の下端に連設された底板形成用フラップ１３，１３と、前記長辺側の対向側板１２，１２の下端に連設された底板形成用フラップ１４，１４と、前記短辺側の対向側板１１，１１の上端に連設された上蓋形成用フラップ１５，１５と、前記長辺側の対向側板１２，１２の上端に連設された上蓋形成用フラップ１６，１６とから構成され、前記上蓋形成用フラップ１５，１５の中央部に把手孔１９，１９が形成されており、長辺側の対向側板１２，１２の下端に連設された底板形成用フラップ１４，１４は短辺の長さ方向の中間部で端面同士が近接し、前記短辺側の対向側板１１，１１の下端に連設された底板形成用フラップ１３，１３は底板形成用フラップ１４，１４の裏面に当接し、底板形成用フラップ１３，１３の角部を底板形成用フラップ１４，１４に形成された切り込み孔１４ａ，１４ａに差し込むことによって底板が形成され、また、前記短辺側の対向側板１１，１１の上端に連設された上蓋形成用フラップ１５，１５は長辺側の対向側板１２，１２の上端に連設された上蓋形成用フラップ１６，１６の上面に重なり、上蓋形成用フラップ１５，１５の角部を上蓋形成用フラップ１６，１６に形成された切り込み孔１６ａ，１６ａに差し込むことによって上蓋が形成されるようにしたことを要旨とするものである。
【０００８】
この構成により、底板形成用フラップ１３，１３の角部を底板形成用フラップ１４，１４に形成された切り込み孔１４ａ，１４ａに差し込むことによって底板が形成され、また上蓋形成用フラップ１５，１５の角部を上蓋形成用フラップ１６，１６の切り込み孔１６ａ，１６ａに差し込むことによって上蓋が形成されていて、底板および上蓋ともにステープルが存在せず、従って包装箱の内部に収納された葱などの被収納物がステープルに引っ掛かって傷が付くという怖れがなくなる。
【０００９】
【発明の実施の形態】
以下、本発明の一実施の形態について、図１〜図５に基づいて説明する。
本実施の形態の葱収納用の段ボール製包装箱は、１組の短辺側の対向側板１１，１１と、他の組の長辺側の対向側板１２，１２と、前記短辺側の対向側板１１，１１の下端に連設された底板形成用フラップ１３，１３と、前記長辺側の対向側板１２，１２の下端に連設された底板形成用フラップ１４，１４と、前記短辺側の対向側板１１，１１の上端に連設された上蓋形成用フラップ１５，１５と、前記長辺側の対向側板１２，１２の上端に連設された上蓋形成用フラップ１６，１６とから構成されている点では前記従来例と同じである。
【００１０】
さらに詳しくは、前記長辺側の対向側板１２，１２の下端に連設された底板形成用フラップ１４，１４は短辺の長さ方向の中間部で端面同士が近接し、前記短辺側の対向側板１１，１１の下端に連設された底板形成用フラップ１３，１３は底板形成用フラップ１４，１４の裏面に当接するように底板形成用フラップ１４，１４で形成される底板の端部に位置し、底板形成用フラップ１３，１３の角部を底板形成用フラップ１４，１４に形成された切り込み孔１４ａ，１４ａに差し込むことによって底板が組み立てられる。そして、切り込み孔１４ａ，１４ａに対する底板形成用フラップ１３，１３の角部の差し込みを容易に行なえるようにするために底板形成用フラップ１３，１３の途中には短辺側の対向側板１１，１１の下端との連設線と平行な折曲線１７が形成され、切り込み孔１４ａ，１４ａに対する底板形成用フラップ１３，１３の角部の差し込み作業を行なうとき、底板形成用フラップ１３，１３を折曲線１７の部分で折り曲げながら行なえるようになっている。また、上蓋については、前記長辺側の対向側板１２，１２の上端に連設された上蓋形成用フラップ１６，１６は短辺の長さ方向の中間部で近接しないように端面間が離れており、前記短辺側の対向側板１１，１１の上端に連設された上蓋形成用フラップ１５，１５は上蓋形成用フラップ１６，１６の上面に重なるように上蓋形成用フラップ１６，１６で形成される上蓋の端部に位置し、上蓋形成用フラップ１５，１５の角部を上蓋形成用フラップ１６，１６に形成された切り込み孔１６ａ，１６ａに差し込むことによって上蓋が組み立てられる。なお、前記底板は包装箱の下端全体を閉じるように形成されているが、上蓋は中央部に矩形（図面では長方形）の通気用の開口部１８が形成されるように上蓋形成用フラップ１６，１６は前述のように短辺の長さ方向の中間部で端面同士が近接しないように構成されている。
【００１１】
なお図中、１９，１９は上蓋形成用フラップ１５，１５の中央部に形成された把手孔である。
上記構成において、底板形成用フラップ１３，１３の角部を底板形成用フラップ１４，１４に形成された切り込み孔１４ａ，１４ａに差し込むことによって底板が形成され、また上蓋形成用フラップ１５，１５の角部を上蓋形成用フラップ１６，１６の切り込み孔１６ａ，１６ａに差し込むことによって上蓋が形成されていて、底板および上蓋ともにステープルが存在せず、従って包装箱の内部に収納された葱２０がステープルに引っ掛かって傷が付くという怖れがなくなる。
【００１２】
【発明の効果】
以上のように本発明によれば、底板形成用フラップ１３，１３の角部を底板形成用フラップ１４，１４に形成された切り込み孔１４ａ，１４ａに差し込むことによって底板が形成され、また上蓋形成用フラップ１５，１５の角部を上蓋形成用フラップ１６，１６の切り込み孔１６ａ，１６ａに差し込むことによって上蓋が形成されていて、底板および上蓋ともにステープルが存在せず、従って包装箱の内部に収納された葱などの被収納物がステープルに引っ掛かって傷が付くという怖れがなくなる。
【図面の簡単な説明】
【図1】  本発明の一実施の形態における段ボール製包装箱の展開図である。
【図2】  同包装箱の底板部の組み立て状態を上方から見た斜視図である。
【図3】  同包装箱の底板部の組み立て状態を裏向けて見た斜視図である。
【図4】  同包装箱に葱を収納した状態を示す斜視図である。
【図5】  同包装箱の上蓋を閉じた状態を示す斜視図である。
【図6】  従来例における段ボール製包装箱の展開図である。
【図7】  同包装箱の底板部の組み立て状態を示す斜視図である。
【図8】  同包装箱に葱を収納した状態を示す斜視図である。
【図9】  同包装箱の上蓋を閉じた状態を示す斜視図である。
【符号の説明】
１１          短辺側の側板
１２          長辺側の側板
１３，１４    底板形成用フラップ
１４ａ        切り込み孔
１５，１６    上蓋形成用フラップ
１６ａ        切り込み孔
１７          折曲線
１８          開口部
１９          把手孔
２０          葱
【図１】
0004152119.tif 000002
【図２】
0004152119.tif 000003
【図３】
0004152119.tif 000004
【図４】
0004152119.tif 000005
【図５】
0004152119.tif 000006
【図６】
0004152119.tif 000007
【図７】
0004152119.tif 000008
【図８】
0004152119.tif 000009
【図９】
0004152119.tif 000010